(57)【要約】      （修正有）【課題】装飾性に優れて置物等として好適に用いられる芳香剤等の発生装置を提供する。【解決手段】開口７に蓋８が付されることで内部に揮発性物質を密封して貯留する本体部２と、揮発性物質の放出開口２２、２３を備えるとともに本体部２上に開口７を覆う状態に装着されるカバー体３とからなり、本体部２にカバー体３が装着された状態において、その全体の外観が特定形態の物体の形態を呈することを特徴とする揮発性物質の発生装置。【選択図】図４
0003145736.tif 000002
【実用新案登録請求の範囲】
【請求項１】
開口に蓋が付されることで内部に揮発性物質を密封して貯留する本体部と、前記揮発性物質の放出開口を備えるとともに前記本体部上に前記開口を覆う状態に装着されるカバー体とからなり、
前記本体部に前記カバー体が装着された状態において、その全体の外観が特定形態の物体の形態を呈することを特徴とする揮発性物質の発生装置。
【請求項２】
全体の外観が動物、植物、キャラクターの形態を呈する請求項１記載の揮発性物質の発生装置。
【請求項３】
前記放出開口が前記カバー体の背面側に設けられてなる請求項１ま
【考案の詳細な説明】
【技術分野】
【０００１】  この考案は、芳香成分や消臭成分や防虫成分等を含む揮発性物質の発生装置に関する。
【背景技術】
【０００２】  最近、室内に芳香剤等の発生装置を設けることがひろく行われている。この種の発生装置は容器内に各種成分を含む揮発性物質が貯留され、その揮発性物質からの揮発成分が放出口から放出されるようになっている。
【考案の開示】
【考案が解決しようとする課題】
【０００３】  しかしながら、現状のこの種発生装置はその外形は単なる容器形態を呈するにとどまり、装飾性に乏しいものであった。この考案は、装飾性に優れて置物等として好適に用いられる芳香剤等の発生装置を提供することを目的とする。
【課題の解決手段】
【０００４】  この考案では、開口に蓋が付されることで内部に揮発性物質を密封して貯留する本体部と、前記揮発性物質の放出開口を備えるとともに前記本体部上に前記開口を覆う状態に装着されるカバー体とからなり、前記本体部に前記カバー体が装着された状態において、その全体の外観が特定形態の物体の形態を呈することを特徴とする揮発性物質の発生装置を提供する。
【０００５】  上記構成の発生装置は、その全体の外観が特定形態の物体の形態を呈するものとされることで、意匠性に優れる各種の物体の形態を持つものとして提供される。特定形態の物体とは、例えば、ライオン（物体）はライオンの形態（特定形態）を備えるということであり、単なる容器やビン等はその範疇に属しない。全体の外観を動物、植物、キャラクターとする（請求項２）ことで、楽しく、より意匠性に優れた置物等に好適なものが得られる。また、カバー体における放出開口を背面側に設ける（請求項３）ことで、通常目に触れやすいカバー体の前面側の意匠が損なわれることが回避され、これにより、さらに意匠性に優れる装飾性の高いものが得られる。
【考案の効果】
【０００６】  この考案によれば、装飾性が高く置物等として好適に用いられる芳香剤等の発生装置が得られる。
【考案を実施するための最良の形態】
【０００７】  図１はこの考案の揮発性物質の発生装置の外観斜視図、図２は同正面図、図３は同背面図、図４は同使用前の断面図、図５は同使用時の断面図である。【０００８】  発生装置１は、本体部２とカバー体３とからなり、ともにプラスチック材よりなる。本体部２は腕部、脚部を一体とする「カエル」の胴体部の形態を呈し、カバー体３は「カエル」の頭部の形態を呈し、これにより発生装置１はその全体が「カエル」（特定形態の物体）の形態を呈するものとなっている。【０００９】  本体部２は緑色で、かつ、半透明であり、ボトル形態で内部を揮発性物質の貯留部６とし、使用前状態においては上端の開口７に蓋８が取り付けられている。１０は不織布等よりなる棒状の吸液芯で、開口７の内側に取り付けられる取り付け具１１に取り付けられることで設けられており、その下部側は貯留部６内に配置され、その上端は蓋８の下面に接触配置されている。【００１０】  カバー体３は緑色であり、前後の一対のカバー片１２、１３よりなり、カバー片１３の内面に突出形成されたボス１５がカバー片１２の内面に形成された嵌め込み部１６に嵌めこまれることで一体とされた状態において、その下縁１７が本体部２の周囲に形成された溝部１８に嵌設されることで本体部２上に装着されている。さらに、カバー片１２、１３のそれぞれの内面には相対する位置に２段に複数本の支持突起１９のそれぞれが互いが向き合うように設けられ、その２段の支持突起１９の間に不織布等よりなる吸液マット２０が配置されている。その配置位置は本体部２の開口７の少し上位置で、使用前の段階では蓋８の上面に吸液マット２０の下面が接し、使用段階においては開口７から上方に突出する吸液芯１０の上端が吸液マット２０の下面に接するようになっている。後ろ側のカバー片１３の下側には格子状に芳香等の放出口２２が設けられ、上側には円形の放出口２３が並設されている。【００１１】  上記構成の発生装置１は、本体部２の蓋８が閉じられ貯留部６に芳香性等の揮発性物質Ｌが密封された状態において提供され、購入した使用者が本体部２からカバー体３を取り外し、蓋８を開き、再びカバー体３を本体部２に装着することで使用される。その使用段階においては、吸液芯１０により揮発性物質Ｌが上方に吸い上げられ、揮発性物質Ｌはその上端に接触する吸液マット２０に吸い込まれる。この状態において吸液芯１０のカバー体３内において露出する部分から、さらには、吸液マット２０の全体から揮発する芳香等が放出口２２、２３のそれぞれから外部に放出される。なお、本体部２が半透明であることで外部から揮発性物質Ｌの減り具合が確認できるようになっている（内部が見えることの図示は省略している）。【００１２】  上記発生装置１は、本体部２が「カエル」の胴体部の形態を呈し、カバー体３は「カエル」の頭部の形態を呈し、かつ、カバー体３が本体部２上部の開口７を覆うように装着されることで、その全体が「カエル」の形態を呈するものとなり、いわゆる、外見的は「カエル」の置物として部屋内に設けられて装飾機能を発揮する。とくに、後ろ側のカバー片１３側に芳香等の放出口２２、２３がともに設けられそれらが前面側から見えないことで、「カエル」の顔面の意匠がより優れたものとされている。
【図面の簡単な説明】
【００１３】
【図１】  この考案の揮発性物質の発生装置の実施形態の外観斜視図
【図２】  この考案の揮発性物質の発生装置の実施形態の正面図
【図３】  この考案の揮発性物質の発生装置の実施形態の背面図
【図４】  この考案の揮発性物質の発生装置の実施形態の使用前の断面図
【図５】  この考案の揮発性物質の発生装置の実施形態の使用時の断面図
【符号の説明】
【００１４】１    発生装置
２    本体部
３    カバー部
６    貯留部
７    開口
８    蓋
２２  放出口
２３  放出口
Ｌ    揮発性物質
【図１】
0003145736.tif 000003
【図２】
0003145736.tif 000004
【図３】
0003145736.tif 000005
【図４】
0003145736.tif 000006
【図５】
0003145736.tif 000007
【手続補正書】
【提出日】平成20年7月10日(2008.7.10)
【手続補正１】
【補正対象書類名】実用新案登録請求の範囲
【補正対象項目名】請求項３
【補正方法】変更
【補正の内容】
【請求項３】
前記放出開口が前記カバー体の背面側に設けられてなる請求項１または２記載の揮発性物質の発生装置。